(57)【要約】【課題】  腕時計ケースを軟質材料で形成しても、取付穴の破損を防ぎ、確実に時計バンドを固定することができると共に、筒状部材の紛失をも防ぐことができる腕時計ケースのバンド取付構造を提供する。【解決手段】  腕時計ケース１を軟質材料で形成し、この腕時計ケース１のバンド取付部３に取付穴３ｂを設け、この取付穴３ｂ内にばね棒の端部が挿入する金属製の補強パイプ５を圧入により取り付けると共に、この補強パイプ５に抜止め用の突起部５ａを設けた。従って、ばね棒の端部を金属製の補強パイプ５によってバンド取付部３の取付穴３ｂに確実に且つ強固に固定することができ、これにより腕時計ケース１が軟質材料で形成されていても、取付穴３ｂの破損を防ぐことができると共に、抜止め用の突起部５ａによって補強パイプ５が取付穴３ｂから離脱するのを防ぎ、補強パイプ５の紛失を防ぐことができる。【選択図】        図４
2010035960.tif 000002
【特許請求の範囲】
【請求項１】
軟質材料からなる腕時計ケースのバンド取付部に、時計バンドをばね棒によって取り付ける腕時計ケースのバンド取付構造において、
前記バンド取付部に形成された取付穴内に、前記ばね棒の端部が挿入される金属製の筒状部材を圧入により取り付けると共に、この筒状部材に抜止め部を設けたことを特徴とする腕時計ケースのバンド取付構造。
【請求項２】
前記抜止め部は、前記取付穴の外側方向に位置する前記筒状部材の端部に、その外周側に向けて突出して設けられた突起部であることを特徴とする請求項１に記載の腕時計ケースのバンド取付構造。
【請求項３】
前記突起部は、前記筒状部材を前記バンド取付部の前記取付穴内に挿入した状態で、前記取付穴の外側方向に位置する前記筒状部材の端部が押広げ工具によって押し広げられることによって形成されていることを特徴とする請求項２に記載の腕時計ケースのバンド取付構造。
【請求項４】
前記抜止め部は、前記筒状部材の外周面にその外周側に向けて突出して設けられた突起部であることを特徴とする請求項１に記載の腕時計ケースのバンド取付構造。
【請求項５】
軟質材料からなる腕時計ケースのバンド取付部に、時計バンドをばね棒によって取り付ける腕時計ケースのバンド取付構造において、
前記バンド取付部に形成された取付穴内に取り付けられて前記ばね棒の端部が挿入される金属製の筒状部材に、その軸方向に沿ってスリット溝を形成し、このスリット溝によって前記筒状部材に弾性力をもたせ、この弾性力によって前記筒状部材を前記取付穴の内面に弾接させて固定したことを特徴とする腕時計ケースのバンド取付構造。
【請求項６】
軟質材料からなる腕時計ケースのバンド取付部に、時計バンドをばね棒によって取り付ける腕時計ケースのバンド取付構造において、
前記バンド取付部に形成された取付穴内に、前記ばね棒の端部が挿入される金属製の筒状部材を圧入により取り付けると共に、前記取付穴の縁部に前記筒状部材の抜けを阻止するための抜止め部を設けたことを特徴とする腕時計ケースのバンド取付構造。
【請求項７】
前記筒状部材には、その筒状部材が前記取付穴内に取り付けられた状態で、鍵状工具が引っ掛かる引掛け部が設けられていることを特徴とする請求項１〜請求項６のいずれかに記載の腕時計ケースのバンド取付構造。
【発明の詳細な説明】
【技術分野】
【０００１】
この発明は、腕時計ケースに時計バンドをばね棒によって取り付ける腕時計ケースのバンド取付構造に関する。
【背景技術】
【０００２】
従来、腕時計ケースのバンド取付構造においては、特許文献１に記載されているように、腕時計ケースを合成樹脂で形成し、この腕時計ケースにバンド取付部を一体に形成し、このバンド取付部に時計バンドをばね棒で取り付ける際に、バンド取付部に設けられた取付穴に金属製の補強キャップを挿入させ、この補強キャップにばね棒の端部を挿入させることにより、バンド取付部の取付穴がばね棒によって破壊されるのを防ぐように構成されたものが知られている。
【特許文献１】実開昭５７−１０７４１９
【発明の開示】
【発明が解決しようとする課題】
【０００３】
しかしながら、このような従来のバンド取付構造では、バンド取付部の取付穴に金属製の補強キャップを挿入しているだけであるから、ばね棒の端部を腕時計ケースのバンド取付部から取り外して時計バンドを交換する際、バンド取付部の取付穴から補強キャップが外れ易く、補強キャップを紛失し易いという問題がある。
【０００４】
この発明が解決しようとする課題は、腕時計ケースを軟質材料で形成しても、取付穴の破損を防ぎ、確実に時計バンドを固定することができると共に、筒状部材の紛失をも防ぐことができる腕時計ケースのバンド取付構造を提供することである。
【課題を解決するための手段】
【０００５】
この発明は、上記課題を解決するために、次のような構成要素を備えている。
請求項１に記載の発明は、軟質材料からなる腕時計ケースのバンド取付部に、時計バンドをばね棒によって取り付ける腕時計ケースのバンド取付構造において、前記バンド取付部に形成された取付穴内に、前記ばね棒の端部が挿入される金属製の筒状部材を圧入により取り付けると共に、この筒状部材に抜止め部を設けたことを特徴とする腕時計ケースのバンド取付構造である。
【０００６】
請求項２に記載の発明は、前記抜止め部が、前記取付穴の外側方向に位置する前記筒状部材の端部に、その外周側に向けて突出して設けられた突起部であることを特徴とする請求項１に記載の腕時計ケースのバンド取付構造である。
【０００７】
請求項３に記載の発明は、前記突起部が、前記筒状部材を前記バンド取付部の前記取付穴内に挿入した状態で、前記取付穴の外側方向に位置する前記筒状部材の端部を押広げ工具によって押し広げることによって形成されていることを特徴とする請求項２に記載の腕時計ケースのバンド取付構造である。
【０００８】
請求項４に記載の発明は、前記抜止め部が、前記筒状部材の外周面にその外周側に向けて突出して設けられた突起部であることを特徴とする請求項１に記載の腕時計ケースのバンド取付構造である。
【０００９】
請求項５に記載の発明は、軟質材料からなる腕時計ケースのバンド取付部に、時計バンドをばね棒によって取り付ける腕時計ケースのバンド取付構造において、前記バンド取付部に形成された取付穴に取り付けられて前記ばね棒の端部が挿入される金属製の筒状部材に、その軸方向に沿ってスリット溝を形成し、このスリット溝によって前記筒状部材に弾性力をもたせ、この弾性力によって前記筒状部材を前記取付穴の内面に弾接させて固定したことを特徴とする腕時計ケースのバンド取付構造である。
【００１０】
請求項６に記載の発明は、軟質材料からなる腕時計ケースのバンド取付部に、時計バンドをばね棒によって取り付ける腕時計ケースのバンド取付構造において、前記バンド取付部に形成された取付穴内に前記ばね棒の端部が挿入される金属製の筒状部材を圧入により取り付けると共に、前記取付穴の縁部に前記筒状部材の抜けを阻止するための抜止め部を設けたことを特徴とする腕時計ケースのバンド取付構造である。
【００１１】
請求項７に記載の発明は、前記筒状部材に、その筒状部材が前記取付穴内に取り付けられた状態で、鍵状工具が引っ掛かる引掛け部が設けられていることを特徴とする請求項１〜請求項６のいずれかに記載の腕時計ケースのバンド取付構造である。
【発明の効果】
【００１２】
この発明によれば、腕時計ケースのバンド取付部に時計バンドをばね棒で取り付ける際、時計バンドに設けられたばね棒の端部を金属製の筒状部材によってバンド取付部の取付穴に確実に且つ強固に固定することができ、これにより腕時計ケースが軟質材料で形成されていても、ばね棒による取付穴の破壊を防ぐことができると共に、ばね棒を取り外して時計バンドを交換する際、筒状部材が取付穴から離脱するのを防ぐことができ、これにより筒状部材の紛失を防ぐことができる。
【発明を実施するための最良の形態】
【００１３】
（実施形態１）
以下、図１〜図４を参照して、この発明を適用した腕時計ケースのバンド取付構造の実施形態１について説明する。
この腕時計ケース１は、合成樹脂やアルミニウムなどの軟質材料からなり、図１に示すように、上部側がほぼ四角形状で、下部側がほぼ円形状に形成され、全体がほぼ枠状に形成されている。
【００１４】
この腕時計ケース１の１２時側と６時側との両側部には、図１および図２に示すように、時計バンド２が取り付けられるバンド取付部３が一体に形成されている。このバンド取付部３は、図１および図２に示すように、その先端側に時計バンド２のバンド端部２ａが挿入する取付凹部３ａが設けられ、この取付凹部３ａの両側部に取付穴３ｂが互いに対向して設けられた構成になっている。
【００１５】
時計バンド２は、ウレタン樹脂などの合成樹脂からなり、図２に示すように、そのバンド端部２ａがバンド取付部３の取付凹部３ａ内に挿入するように構成されている。この時計バンド２のバンド端部２ａには、ばね棒４が挿入する挿入孔２ｂが設けられている。ばね棒４は、図３に示すように、筒状のばね棒本体４ａ内にコイルばね（図示せず）が設けられていると共に、このばね棒本体４ａ内における両側部に係止突起４ｂがコイルばねのばね力によって出没可能に突出した状態で取り付けられた構成になっている。
【００１６】
このばね棒４は、図２に示すように、そのばね棒本体４ａが時計バンド２のバンド端部２ａに設けられた挿入孔２ｂ内に挿入されて、両側の係止突起４ｂが時計バンド２のバンド端部２ａの両側からコイルばねのばね力によって突出し、この突出した係止突起４ｂがバンド取付部３の互いに対向する取付穴３ｂに挿入することにより、時計バンド２を腕時計ケース１のバンド取付部３に取り付けるように構成されている。
【００１７】
この場合、バンド取付部３の互いに対向する取付穴３ｂ内には、図１および図４に示すように、金属製の補強パイプ５がそれぞれ設けられている。この補強パイプ５は、その内径がばね棒４の係止突起４ｂの外径とほぼ同じか、それよりも少し大きく形成されていると共に、バンド取付部３の取付穴３ｂの外側方向に位置する端部に抜け止め用の突起部５ａが外周側に向けて突出して形成された構成なっている。
【００１８】
この補強パイプ５の突起部５ａは、その端部側（図４では左側の端部）からポンチなどの先端が円錐形の押広げ工具（図７参照）が挿入して押し当てられ、この押し当てられた端部の孔径が押し広げられることにより、その端部の外周縁が外周側に向けて少し突出することによって形成されている。この補強パイプ５は、図４に示すように、バンド取付部３の取付穴３ｂに圧入されると、突起部５ａが取付穴３ｂの内面に食い込むことにより、取付穴３ｂ内に強固に固定されるように構成されている。
【００１９】
このような腕時計ケース１のバンド取付構造によれば、腕時計ケース１のバンド取付部３に取付穴３ｂを設け、この取付穴３ｂ内にばね棒４の係止突起４ｂが挿入する金属製の補強パイプ５を圧入により取り付けているので、腕時計ケース１のバンド取付部３に時計バンド２をばね棒４で取り付ける際、時計バンド２の挿入孔２ｂに設けられたばね棒４の係止突起４ｂを金属製の補強パイプ５によってバンド取付部３の取付穴３ｂに確実に且つ強固に固定することができる。このため、腕時計ケース１が軟質材料で形成されていても、ばね棒４の係止突起４ｂによって取付穴３ｂが破壊されるのを確実に防ぐことができる。
【００２０】
また、この腕時計ケース１のバンド取付構造によれば、バンド取付部３の取付穴３ｂの外側方向に位置する補強パイプ５の端部に、抜け止め用の突起部５ａが外周側に向けて突出して形成され、この突起部５ａがバンド取付部３の取付穴３ｂの内面に食い込んで取り付けられているので、ばね棒４をバンド取付部３から取り外して時計バンド２を交換する際、補強パイプ５がバンド取付部３の取付穴３ｂから離脱するのを防ぐことができ、これにより補強パイプ５が紛失するのを防ぐことができる。
【００２１】
（実施形態２）
次に、図５〜図８を参照して、この発明を適用した腕時計ケースのバンド取付構造の実施形態２について説明する。なお、図１〜図４に示された実施形態１と同一部分には同一符号を付して説明する。
この腕時計ケース１は、実施形態１と同様、合成樹脂やアルミニウムなどの軟質材料からなり、図５に示すように、１２時側と６時側との両側部（図５では片側の一部のみを示す）にバンド取付部３が一体に形成された構成になっている。
【００２２】
このバンド取付部３の先端側に設けられた取付凹部３ａの両側部（図５では片側のみを示す）には、実施形態１と同様、取付穴３ｂが設けられている。この取付穴３ｂ内には、図５および図６に示すように、金属製の補強パイプ７が圧入により取り付けられている。この補強パイプ７は、その内径がばね棒４の係止突起４ｂの外径とほぼ同じか、それよりも少し大きく形成されている。
【００２３】
この補強パイプ７は、図６に示すように、取付孔３ｂに圧入された状態で、図７に示すように、その外側方向に位置する端部にポンチなどの先端が円錐形の押広げ工具８を挿入して押し当て、この押し当てられた端部の孔径を少し押し広げることにより、その端部の外周縁を外周側に向けて少し突出させ、これにより抜け止め用の突起部７ａを形成した構成になっている。これにより、補強パイプ７は、図８に示すように、突起部７ａがバンド取付部３の取付穴３ｂの内面に食い込むことにより、取付穴３ｂ内に強固に固定されるように構成されている。
【００２４】
このような腕時計ケース１のバンド取付構造においても、実施形態１と同様、腕時計ケース１のバンド取付部３に設けられた取付穴３ｂ内にばね棒４の係止突起４ｂが挿入する金属製の補強パイプ７を圧入により取り付けているので、時計バンド２の挿入孔２ｂに設けられたばね棒４の係止突起４ｂをバンド取付部３の取付穴３ｂに補強パイプ７によって確実に且つ強固に固定することができる。このため、腕時計ケース１が軟質材料で形成されていても、ばね棒４の係止突起４ｂによって取付穴３ｂが破壊されるのを確実に防ぐことができる。
【００２５】
また、この腕時計ケース１のバンド取付構造においては、バンド取付部３の取付穴３ｂ内に圧入された補強パイプ７の外側方向に位置する端部にポンチなどの先端が円錐形の押広げ工具８を挿入して押し当てることにより、抜け止め用の突起部７ａを外周側に向けて突出させて形成しているので、この突起部７ａをバンド取付部３の取付穴３ｂの内面に食い込ませることができる。このため、実施形態１と同様、時計バンド２の交換時に、補強パイプ７がバンド取付部３の取付穴３ｂから離脱するのを防ぐことができ、これにより補強パイプ７が紛失するのを防ぐことができる。
【００２６】
（実施形態３）
次に、図９および図１０を参照して、この発明を適用した腕時計ケースのバンド取付構造の実施形態３について説明する。この場合にも、図１〜図４に示された実施形態１と同一部分に同一符号を付して説明する。
この腕時計ケース１も、実施形態１と同様、合成樹脂やアルミニウムなどの軟質材料で形成されており、この腕時計ケース１の１２時側と６時側との両側部（図９では片側の一部のみを示す）には、図９に示すように、バンド取付部３が一体に形成された構成になっている。
【００２７】
このバンド取付部３の先端側に設けられた取付凹部３ａの両側部（図９では片側のみを示す）には、実施形態１と同様、取付穴３ｂが設けられている。この取付穴３ｂ内には、図１０に示すように、金属製の補強パイプ１０が圧入により取り付けられている。この補強パイプ１０には、図９に示すように、その外周面における所定箇所に山形状の突起部１０ａが外周側に向けて突出して形成されている。これにより、補強パイプ１０は、図１０に示すように、バンド取付部３の取付穴３ｂに圧入されると、突起部１０ａが取付穴３ｂの内面に食い込むことにより、取付穴３ｂ内に強固に固定されるように構成されている。
【００２８】
このような腕時計ケース１のバンド取付構造においても、実施形態１と同様、腕時計ケース１のバンド取付部３に設けられた取付穴３ｂ内にばね棒４の係止突起４ｂが挿入する金属製の補強パイプ１０を圧入により取り付けているので、時計バンド２の挿入孔２ｂに設けられたばね棒４の係止突起４ｂをバンド取付部３の取付穴３ｂに補強パイプ１０によって確実に且つ強固に固定することができる。このため、腕時計ケース１が軟質材料で形成されていても、ばね棒４の係止突起４ｂによって取付穴３ｂが破壊されるのを確実に防ぐことができる。
【００２９】
また、この腕時計ケース１のバンド取付構造においては、バンド取付部３の取付穴３ｂ内に圧入された補強パイプ１０の外周面における所定箇所に抜け止め用の突起部１０ａを外周側に向けて突出させて形成しているので、この突起部１０ａをバンド取付部３の取付穴３ｂの内面に食い込ませることができる。このため、実施形態１と同様、時計バンド２の交換時に、補強パイプ７がバンド取付部３の取付穴３ｂから離脱するのを防ぐことができ、これにより補強パイプ１０が紛失するのを防ぐことができる。
【００３０】
（実施形態４）
次に、図１１〜図１３を参照して、この発明を適用した腕時計ケースのバンド取付構造の実施形態４について説明する。この場合にも、図１〜図４に示された実施形態１と同一部分に同一符号を付して説明する。
この腕時計ケース１も、実施形態１と同様、合成樹脂やアルミニウムなどの軟質材料で形成されており、この腕時計ケース１の１２時側と６時側との両側部（図１１では片側の一部のみを示す）には、図１１に示すように、バンド取付部３が一体に形成された構成になっている。
【００３１】
このバンド取付部３の先端側に設けられた取付凹部３ａの両側部（図１１では片側のみを示す）には、実施形態１と同様、取付穴３ｂが設けられている。この取付穴３ｂ内には、図１２および図１３に示すように、金属製の補強パイプ１２が取り付けられている。この補強パイプ１２には、図１１に示すように、その軸方向に沿ってスリット溝１２ａが両端部に連続して形成され、その外径がバンド取付部３の取付穴３ｂの内径よりも大きく形成された構成になっている。
【００３２】
これにより、補強パイプ１２は、スリット溝１２ａによって弾性力を有し、この弾性力によって取付穴３ｂの内面に弾接して固定されるように構成されている。すなわち、この補強パイプ１２は、その弾性力に抗して外径が小さくなるように圧縮し、この状態でバンド取付部３の取付穴３ｂに挿入されると、補強パイプ１２自体の弾性復帰力によって取付穴３ｂの内面に弾接して固定されるように構成されている。
【００３３】
この場合、補強パイプ１２は、図１２に示すように、パイプ挿入冶具１３によってバンド取付部３の取付穴３ｂ内に挿入されるように構成されている。すなわち、このパイプ挿入冶具１３は、図１２に示すように、取付穴３ｂの内径よりも大きい大径孔１３ａと、取付穴３ｂの内径とほぼ同じか、それよりも少し小さい小径孔１３ｂと、この大径孔１３ａと小径孔１３ｂとの間に補強パイプ１２の外径を徐々に小さくさせるように圧縮させるためのテーパ孔部１３ｃとが設けられた構成になっている。
【００３４】
このパイプ挿入冶具１３を用いて、補強パイプ１２をバンド取付部３の取付穴３ｂに挿入する場合には、図１２に示すように、まず、パイプ挿入冶具１３の小径孔１３ｂを取付穴３ｂに対応させる。この状態で、パイプ挿入冶具１３の大径孔１３ａ内に補強パイプ１２を挿入して小径孔１３ｂ側に向けて押し込む。このとき、補強パイプ１２は、パイプ挿入冶具１３の中間に位置するテーパ孔部１３ｃによって、外径が徐々に圧縮されて弾力的に小さくなる。
【００３５】
そして、外径が小さくなった補強パイプ１２が更に押し込まれると、パイプ挿入冶具１３の小径孔１３ｂに挿入され、この小径孔１３ｂを通して補強パイプ１２が、図１３に示すように、バンド取付部３の取付穴３ｂ内に挿入される。このように、補強パイプ１２が取付穴３ｂ内に挿入されると、補強パイプ１２は、それ自体の弾性力によって復帰し、取付穴３ｂの内面に密着して弾接することにより固定される。
【００３６】
このような腕時計ケース１のバンド取付構造においても、腕時計ケース１のバンド取付部３に設けられた取付穴３ｂ内に、ばね棒４の係止突起４ｂが挿入する金属製の補強パイプ１２を取り付けているので、実施形態１と同様、時計バンド２の挿入孔２ｂに設けられたばね棒４の係止突起４ｂをバンド取付部３の取付穴３ｂに補強パイプ１２によって確実に且つ強固に固定することができる。このため、腕時計ケース１が軟質材料で形成されていても、ばね棒４の係止突起４ｂによって取付穴３ｂが破壊されるのを確実に防ぐことができる。
【００３７】
また、この腕時計ケース１のバンド取付構造においては、バンド取付部３の取付穴３ｂ内に取り付けられる補強パイプ１２に、その軸方向に沿ってスリット溝１２ａを形成して、補強パイプ１２に弾性力をもたせているので、このスリット溝１２ａによる補強パイプ１２の弾性力に抗して補強パイプ１２の外径が小さくなるように圧縮し、この状態で補強パイプ１２を取付穴３ｂ内に挿入させると、補強パイプ１２がそれ自体の弾性力によって復帰することにより、取付穴３ｂの内面に密着して弾接する。
【００３８】
このため、補強パイプ１２は、その外周面と取付穴３ｂの内周面との弾接による摩擦抵抗力によって、補強パイプ１２を取付穴３ｂ内に確実に固定することができるので、実施形態１と同様、ばね棒４をバンド取付部３から取り外して時計バンド２を交換する際、補強パイプ１２がバンド取付部３の取付穴３ｂから離脱するのを防ぐことができ、これにより補強パイプ１２が紛失するのを防ぐことができる。
【００３９】
（実施形態５）
次に、図１４〜図１７を参照して、この発明を適用した腕時計ケースのバンド取付構造の実施形態５について説明する。この場合にも、図１〜図４に示された実施形態１と同一部分に同一符号を付して説明する。
この腕時計ケース１も、実施形態１と同様、合成樹脂やアルミニウムなどの軟質材料で形成されており、この腕時計ケース１の１２時側と６時側との両側部（図１４では片側の一部のみを示す）には、図１４に示すように、バンド取付部３が一体に形成された構成になっている。
【００４０】
このバンド取付部３の先端側に設けられた取付凹部３ａの両側部（図１４では片側のみを示す）には、実施形態１と同様、取付穴３ｂが設けられている。この取付穴３ｂ内には、図１５に示すように、金属製の補強パイプ１５が圧入により取り付けられている。この場合、補強パイプ１５は、その外側に位置する端部が取付穴３ｂの外周縁よりも取付穴３ｂの内側に位置した状態で、取付穴３ｂ内に取り付けられている。
【００４１】
そして、この補強パイプ１５は、図１６および図１７に示すように、押潰し冶具１６によって取付穴３ｂの外周縁が押し潰されて形成された抜止め部１７により、取付穴３ｂ内に固定されている。すなわち、押潰し冶具１６は、図１６に示すように、先端部がテーパ部１６ａに形成され、このテーパ部１６ａを取付穴３ｂ内に挿入させて取付穴３ｂの外周縁に圧接させることにより、取付穴３ｂの外周縁をテーパ部１６ａで押し潰して、取付穴３ｂの外周縁に抜止め部１７を形成するように構成されている。
【００４２】
この抜止め部１７は、図１７に示すように、取付穴３ｂの内面側に突出して補強パイプ１５の外側方向に位置する端部に当接するように形成され、これにより取付穴３ｂ内に圧入された補強パイプ１５の外側方向に位置する端部を押え付けて、補強パイプ１５が取付穴３ｂ内から抜け出すのを阻止するように構成されている。
【００４３】
この場合、抜止め部１７は、図１７に示すように、取付穴３ｂの内面側への突出長さが補強パイプ１５の肉厚よりも僅かに短く形成され、これにより補強パイプ１５にばね棒４の係止突起４ｂを挿入する際、その係止突起４ｂの挿入を妨げないように形成されている。また、この抜止め部１７は、押潰し冶具１６のテーパ部１６ａによって押し潰されることにより、図１７に示すように、取付穴３ｂの外側が広く内側が狭くなるテーパ状に形成されている。
【００４４】
このような腕時計ケース１のバンド取付構造においても、腕時計ケース１のバンド取付部３に設けられた取付穴３ｂ内に、ばね棒４の係止突起４ｂが挿入する金属製の補強パイプ１５を取り付けているので、実施形態１と同様、時計バンド２の挿入孔２ｂに設けられたばね棒４の係止突起４ｂをバンド取付部３の取付穴３ｂに補強パイプ１５によって確実に且つ強固に固定することができる。このため、腕時計ケース１が軟質材料で形成されていても、ばね棒４の係止突起４ｂによって取付穴３ｂが破壊されるのを確実に防ぐことができる。
【００４５】
また、この腕時計ケース１のバンド取付構造においては、バンド取付部３の取付穴３ｂの外周縁に抜止め部１７が設けられ、この抜止め部１７によって取付穴３ｂ内に圧入により取り付けられる補強パイプ１５を固定しているので、補強パイプ１５が取付穴３ｂ内から抜け出すことなく、確実に且つ強固に補強パイプ１５を取付穴３ｂ内に固定することができる。このため、実施形態１と同様、時計バンド２を交換する際、補強パイプ１５がバンド取付部３の取付穴３ｂから離脱するのを防ぐことができ、これにより補強パイプ１５が紛失するのを防ぐことができる。
【００４６】
この場合、抜止め部１７は、取付穴３ｂの内面側への突出長さが補強パイプ１５の肉厚よりも僅かに短く形成されていると共に、取付穴３ｂの外側が広く内側が狭くなるテーパ状に形成されているので、ばね棒４の係止突起４ｂを補強パイプ１５に挿入する際、テーパ状の抜止め部１７によって係止突起４ｂを補強パイプ１５にガイドすることができ、これにより係止突起４ｂを補強パイプ１５内に容易に且つ確実に挿入させることができる。
【００４７】
なお、上記実施形態４では、押潰し冶具１６のテーパ部１６ａを取付穴３ｂの外周縁に圧接させることにより、取付穴３ｂの外周縁を押し潰して抜止め部１７を形成した場合について述べたが、これに限らず、超音波溶着や加熱溶着などによって取付穴３ｂの外周縁を変形させて抜止め部１７を形成しても良い。
【００４８】
（実施形態６）
次に、図１８〜図２１を参照して、この発明を適用した腕時計ケースのバンド取付構造の実施形態６について説明する。この場合にも、図１〜図４に示された実施形態１と同一部分に同一符号を付して説明する。
この腕時計ケース１も、実施形態１と同様、合成樹脂やアルミニウムなどの軟質材料で形成されており、この腕時計ケース１の１２時側と６時側との両側部（図１８では片側の一部のみを示す）には、図１８に示すように、バンド取付部３が一体に形成された構成になっている。
【００４９】
このバンド取付部３の先端側に設けられた取付凹部３ａの両側部（図１８では片側のみを示す）には、実施形態１と同様、取付穴３ｂが設けられている。この取付穴３ｂ内には、図１９に示すように、金属製の補強パイプ２０が圧入により取り付けられている。この補強パイプ２０は、取付穴３ｂの奥側（図１８では右側）に位置する端部に底板部２０ａが設けられ、この底板部２０ａに鍵孔２０ｂが設けられ、この底板部２０ａが取付穴３ｂの奥壁から少し離れた状態で、取付穴３ｂ内に圧入されるように構成されている。
【００５０】
この場合、補強パイプ２０の鍵孔２０ｂは、図２０および図２１に示すように、補強パイプ２０が取付穴３ｂ内に取り付けられた状態で、鍵状工具２１が引っ掛かるように構成されている。この鍵状工具２１は、補強パイプ２０を取付穴３ｂ内から引き出すためのものであり、図２０および図２１に示すように、補強パイプ２０内に挿入する棒状の本体部２２と、この本体部２２の先端に設けられたフック部２３と、本体部２２の他端部に設けられた握り部２４とを備えている。
【００５１】
これにより、鍵状工具２１は、図２０に示すように、棒状の本体部２２を補強パイプ２０内に挿入させ、その先端のフック部２３を補強パイプ２０の底板部２０ａに設けられた鍵孔２０ｂに挿入させて底板部２０ａの外面に当接させ、この状態で握り部２４を持って矢印方向に引き出すと、図２１に示すように、補強パイプ２０を取付穴３ｂ内から取り出せるように構成されている。
【００５２】
このような腕時計ケース１のバンド取付構造においては、実施形態１と同様の作用効果があるほか、補強パイプ２０の底板部２０ａに鍵孔２０ｂを設けているので、バンド取付部３の取付穴３ｂに圧入された補強パイプ２０を鍵状工具２１によって取付穴３ｂ内から簡単に取り出すことができる。このため、時計バンド２を交換する際、ばね棒４を替えても、そのばね棒４に応じた大きさの補強パイプ２０と交換することができる。
【００５３】
（実施形態７）
次に、図２２〜図２５を参照して、この発明を適用した腕時計ケースのバンド取付構造の実施形態７について説明する。この場合には、図１８〜図２１に示された実施形態６と同一部分に同一符号を付して説明する。
この腕時計ケース１も、実施形態１、６と同様、合成樹脂やアルミニウムなどの軟質材料で形成されており、この腕時計ケース１の１２時側と６時側との両側部（図２２では片側の一部のみを示す）には、図２２に示すように、バンド取付部３が一体に形成された構成になっている。
【００５４】
このバンド取付部３の先端側に設けられた取付凹部３ａの両側部（図２２では片側のみを示す）には、実施形態１、６と同様、取付穴３ｂが設けられている。この取付穴３ｂ内には、図２４に示すように、金属製の補強パイプ２５が圧入により取り付けられている。この補強パイプ２５は、取付穴３ｂの奥側（図２３では右側）に位置する端部に切欠き部２５ａが外周面に沿って設けられ、この切欠き部２５ａが取付穴３ｂの奥壁との間に隙間を形成した状態で、取付穴３ｂ内に圧入されるように構成されている。
【００５５】
この場合、補強パイプ２５の切欠き部２５ａは、図２４に示すように、補強パイプ２５が取付穴３ｂ内に取り付けられた状態で、図２５に示すように、鍵状工具２１が引っ掛かるように構成されている。この鍵状工具２１は、実施形態６と同様、補強パイプ２５を取付穴３ｂ内から引き出すためのものであり、棒状の本体部２２と、この本体部２２の先端に設けられたフック部２３と、本体部２２の他端部に設けられた握り部２４とを備えている。
【００５６】
これにより、鍵状工具２１は、図２５に示すように、棒状の本体部２２を取付穴３ｂ内に圧入された補強パイプ２５内に挿入させ、その先端のフック部２３を補強パイプ２５の切欠き部２５ａに挿入させて切欠き部２５ａの内側縁部に引っ掛け、この状態で握り部２４を持って矢印方向に引き出すと、補強パイプ２５を取付穴３ｂ内から取り出せるように構成されている。
【００５７】
このような腕時計ケース１のバンド取付構造においても、実施形態１と同様の作用効果があるほか、取付穴３ｂの奥側に位置する補強パイプ２５の端部に切欠き部２５ａを設けているので、実施形態６と同様、バンド取付部３の取付穴３ｂに圧入された補強パイプ２５を鍵状工具２１によって取付穴３ｂ内から簡単に取り出すことができる。このため、時計バンド２を交換する際、ばね棒４を替えても、そのばね棒４に応じた大きさの補強パイプ２５と交換することができる。
【００５８】
なお、上記実施形態７では、取付穴３ｂの奥側に位置する補強パイプ２５の端部側に切欠き部２５ａを設けた場合に付いて述べたが、必ずしも取付穴３ｂの奥側に位置する補強パイプ２５の端部側に切欠き部２５ａを設ける必要はなく、外側方向に位置する補強パイプの端部を除けば、補強パイプのどの位置に切欠き部としての孔部を設けた構成でも良い。
【００５９】
また、上記実施形態６では補強パイプ２０の底板部２０ａに鍵孔２０ｂを設け、また上記実施形態７では補強パイプ２５の端部に切欠き部２５ａを設けた場合について述べたが、これに限らず、実施形態１〜５の各補強パイプ５、７、１０、１２、１５にも鍵孔または切欠き部を設けた構成にしても良い。このように構成すれば、実施形態６、７と同様、取付穴３ｂ内に固定された各補強パイプ５、７、１０、１２、１５を容易に取り外すことができる。
【００６０】
さらに、上記実施形態１〜７およびその変形例では、時計バンド２がウレタン樹脂などの合成樹脂で形成されている場合について述べたが、これに限らず、布や金属などで構成された時計バンドであっても良い。
【図面の簡単な説明】
【００６１】
【図１】この発明を適用した腕時計ケースのバンド取付構造の実施形態１において腕時計ケースを示した斜視図である。
【図２】図１の腕時計ケースに時計バンドを取り付ける状態を示した要部の分解斜視図である。
【図３】図２のばね棒を示した拡大斜視図である。
【図４】図１のＡ−Ａ矢視における要部の拡大断面図である。
【図５】この発明を適用した腕時計ケースのバンド取付構造の実施形態２において腕時計ケースのバンド取付部に設けられた取付穴に補強パイプを圧入する状態を示した要部の拡大断面図である。
【図６】図５の補強パイプを取付穴に圧入した状態を示した要部の拡大断面図である。
【図７】図６の補強パイプに突起部を押広げ工具によって形成する状態を示した要部の拡大断面図である。
【図８】図７において補強パイプに突起部が形成されて取付穴の内面に食い込んだ状態を示した要部の拡大断面図である。
【図９】この発明を適用した腕時計ケースのバンド取付構造の実施形態３において腕時計ケースのバンド取付部を示した要部の拡大斜視図である。
【図１０】図９のＢ−Ｂ矢視における要部の拡大断面図である。
【図１１】この発明を適用した腕時計ケースのバンド取付構造の実施形態４において腕時計ケースのバンド取付部を示した要部の拡大斜視図である。
【図１２】図１１のＣ−Ｃ矢視において補強パイプを取付穴にパイプ挿入冶具によって挿入する状態を示した要部の拡大断面図である。
【図１３】図１２のパイプ挿入冶具によって補強パイプが取付穴に取り付けられた状態を示した要部の拡大断面図である。
【図１４】この発明を適用した腕時計ケースのバンド取付構造の実施形態５においてバンド取付部の取付穴に補強パイプを圧入する状態を示した要部の拡大断面図である。
【図１５】図１４の状態で補強パイプを取付穴に圧入した状態を示した要部の拡大断面図である。
【図１６】図１５の状態で押潰し冶具によって取付穴の縁部を押し潰して抜止め部を形成する状態を示した要部の拡大断面図である。
【図１７】図１６において取付穴の縁部に抜止め部が形成された状態を示した要部の拡大断面図である。
【図１８】この発明を適用した腕時計ケースのバンド取付構造の実施形態６においてバンド取付部の取付穴に補強パイプを圧入する状態を示した要部の拡大断面図である。
【図１９】図１８の状態で補強パイプを取付穴に圧入した状態を示した要部の拡大断面図である。
【図２０】図１９の状態で取付穴内から補強パイプを鍵状工具によって取り出す状態を示した要部の拡大断面図である。
【図２１】図２０の状態で取付穴内から補強パイプを鍵状工具によって取り出した状態を示した要部の拡大断面図である。
【図２２】この発明を適用した腕時計ケースのバンド取付構造の実施形態７においてバンド取付部の取付穴に補強パイプを圧入する状態を示した要部の斜視図である。
【図２３】図２２のＤ−Ｄ矢視において補強パイプを取付穴に圧入する状態を示した要部の拡大断面図である。
【図２４】図２３の状態で補強パイプを取付穴に圧入した状態を示した要部の拡大断面図である。
【図２５】図２４の状態で取付穴内から補強パイプを鍵状工具によって取り出す状態を示した要部の拡大断面図である。
【符号の説明】
【００６２】
１  腕時計ケース
２  時計バンド
３  バンド取付部
３ａ  取付凹部
３ｂ  取付穴
４  ばね棒
４ａ  ばね棒本体
４ｂ  係止突起
５、７、１０、１２、１５、２０、２５  補強パイプ
５ａ、７ａ、１０ａ  突起部
８  押広げ工具
１２ａ  スリット溝
１３  パイプ挿入冶具
１６  押潰し工具
１７  抜止め部
２０ａ  底板部
２０ｂ  鍵孔
２１  鍵状工具
２５ａ  切欠き部
【図１】
2010035960.tif 000003
【図２】
2010035960.tif 000004
【図３】
2010035960.tif 000005
【図４】
2010035960.tif 000006
【図５】
2010035960.tif 000007
【図６】
2010035960.tif 000008
【図７】
2010035960.tif 000009
【図８】
2010035960.tif 000010
【図９】
2010035960.tif 000011
【図１０】
2010035960.tif 000012
【図１１】
2010035960.tif 000013
【図１２】
2010035960.tif 000014
【図１３】
2010035960.tif 000015
【図１４】
2010035960.tif 000016
【図１５】
2010035960.tif 000017
【図１６】
2010035960.tif 000018
【図１７】
2010035960.tif 000019
【図１８】
2010035960.tif 000020
【図１９】
2010035960.tif 000021
【図２０】
2010035960.tif 000022
【図２１】
2010035960.tif 000023
【図２２】
2010035960.tif 000024
【図２３】
2010035960.tif 000025
【図２４】
2010035960.tif 000026
【図２５】
2010035960.tif 000027